(57)【特許請求の範囲】
【請求項１】
電力系統の全構成要素を記号で示した電力系統図情報を記憶する第１の記憶部と、
前記電力系統の全構成要素を示す記号の中から、前記電力系統の一部の構成要素を示す複数の特定記号をマスクする複数のマスク情報を記憶する第２の記憶部と、
前記特定記号をマスクするための要求信号に応じて、前記第２の記憶部から選択的に読み出された複数のマスク情報から単一のマスク情報を生成し、前記第１の記憶部から読み出された電力系統図情報と、前記単一のマスク情報とを重ね合わせることにより、前記特定記号をマスクした電力系統図情報を生成する合成生成部と、
を備えたことを特徴とする電力系統図情報生成システム。
【請求項２】
前記要求信号を発生する要求信号発生部と、前記要求信号に応じて前記合成生成部で生成された電力系統図情報を表示する表示部と、を有する端末、
を更に備えたことを特徴とする請求項１に記載の電力系統図情報生成システム。
【請求項３】
前記第１の記憶部、前記第２の記憶部、及び前記合成生成部を、前記端末の外部に備えたことを特徴とする請求項２に記載の電力系統図情報生成システム。
【請求項４】
前記端末は、前記第２の記憶部及び前記合成生成部を有することを特徴とする請求項２に記載の電力系統図情報生成システム。
【請求項５】
電力系統の全構成要素を記号で示した電力系統図情報を記憶する記憶部と、
前記電力系統の全構成要素を示す記号の中から前記電力系統の一部の構成要素を示す特定記号をマスクするための要求信号に応じて、前記特定記号をマスクするマスク情報を生成するマスク情報生成部と、
前記要求信号に応じて、前記記憶部から読み出された電力系統図情報と、前記マスク情報とを重ね合わせることにより、前記特定記号をマスクした電力系統図情報を生成する合成生成部と、を備え、
前記マスク情報は、前記電力系統図情報に含まれる前記特定記号の位置を示す位置情報と、前記特定記号をマスクするための色情報と、を有し、
前記マスク情報生成部は、前記要求信号に応じて位置情報及び色情報から前記マスク情報を生成することを特徴とする電力系統図情報生成システム。
【請求項６】
前記要求信号を発生する要求信号発生部と、前記要求信号に応じて前記合成生成部で生成された電力系統図情報を表示する表示部と、を有する端末、
を更に備えたことを特徴とする請求項５に記載の電力系統図情報生成システム。
【請求項７】
前記記憶部、前記マスク情報生成部、及び前記合成生成部を、前記端末の外部に備えたことを特徴とする請求項６に記載の電力系統図情報生成システム。
【請求項８】
前記端末は、前記マスク情報生成部及び前記合成生成部を有することを特徴とする請求項６に記載の電力系統図情報生成システム。
【請求項９】
電力系統を構成する各構成要素を記号で示した、電力系統図情報を生成するための構成要素情報を記憶する記憶部と、
前記電力系統の全構成要素を示す記号の中から前記電力系統の一部の構成要素を示す特定記号をマスクするための要求信号に応じて、前記記憶部から前記一部の構成要素以外の構成要素を示す構成要素情報を読み出すとともに、当該構成要素情報に基づいて前記特定記号をマスクした電力系統図情報を生成する電力系統図情報生成部と、
を備えたことを特徴とする電力系統図情報生成システム。
【請求項１０】
前記要求信号を発生する要求信号発生部と、前記要求信号に応じて前記電力系統図情報生成部で生成された電力系統図情報を表示する表示部と、を有する端末、
を更に備えたことを特徴とする請求項９に記載の電力系統図情報生成システム。
【請求項１１】
前記記憶部及び前記電力系統図情報生成部を、前記端末の外部に備えたことを特徴とする請求項１０に記載の電力系統図情報生成システム。
【請求項１２】
電力系統の構成要素を記号で示した電力系統図情報を生成する電力系統図情報生成システムの電力系統図情報生成方法であって、
前記電力系統の全構成要素を示す記号の中から前記電力系統の一部の構成要素を示す特定記号をマスクするための要求信号に応じて、
前記電力系統の全構成要素を記号で示した電力系統図情報を第１の記憶部から読み出し、
複数の前記特定記号をマスクする複数のマスク情報を第２の記憶部から選択的に読み出し、
前記第２の記憶部から選択的に読み出された複数のマスク情報から単一のマスク情報を生成し、
前記第１の記憶部から読み出された電力系統図情報と、前記単一のマスク情報とを重ね合わせることにより、前記特定記号をマスクした電力系統図情報を生成する、
ことを特徴とする電力系統図情報生成システムの電力系統図情報生成方法。
【請求項１３】
電力系統の構成要素を記号で示した電力系統図情報を生成する電力系統図情報生成システムの電力系統図情報生成方法であって、
前記電力系統の全構成要素を示す記号の中から前記電力系統の一部の構成要素を示す特定記号をマスクするための要求信号に応じて、
前記電力系統の全構成要素を記号で示した電力系統図情報を記憶部から読み出し、
前記電力系統図情報に含まれる前記特定記号の位置を示す位置情報と、前記特定記号をマスクするための色情報と、から前記特定記号をマスクするマスク情報を生成し、
前記記憶部から読み出された電力系統図情報と、前記位置情報及び色情報を有する前記マスク情報とを重ね合わせることにより、前記特定記号をマスクした電力系統図情報を生成する、
ことを特徴とする電力系統図情報生成システムの電力系統図情報生成方法。
【請求項１４】
電力系統の構成要素を記号で示した電力系統図情報を生成する電力系統図情報生成システムの電力系統図情報生成方法であって、
前記電力系統の全構成要素を示す記号の中から前記電力系統の一部の構成要素を示す特定記号をマスクするための要求信号に応じて、
前記電力系統を構成する各構成要素を記号で示した、前記電力系統図情報を生成するための構成要素情報を記憶する記憶部から、前記一部の構成要素以外の構成要素を示す構成要素情報を読み出すとともに、当該構成要素情報に基づいて前記特定記号をマスクした電力系統図情報を生成する、
ことを特徴とする電力系統図情報生成システムの電力系統図情報生成方法。
【請求項１５】
電力系統の構成要素を記号で示した電力系統図情報を生成する電力系統図情報生成システムに電力系統図情報生成方法を実施させるプログラムであって、
前記電力系統の全構成要素を示す記号の中から前記電力系統の一部の構成要素を示す特定記号をマスクするための要求信号に応じて、
前記電力系統の全構成要素を記号で示した電力系統図情報を第１の記憶部から読み出し、
複数の前記特定記号をマスクする複数のマスク情報を第２の記憶部から選択的に読み出し、
前記第２の記憶部から選択的に読み出された複数のマスク情報から単一のマスク情報を生成し、
前記第１の記憶部から読み出された電力系統図情報と、前記単一のマスク情報とを重ね合わせることにより、前記特定記号をマスクした電力系統図情報を生成する、
ことを特徴とするプログラム。
【請求項１６】
電力系統の構成要素を記号で示した電力系統図情報を生成する電力系統図情報生成システムに電力系統図情報生成方法を実施させるプログラムであって、
前記電力系統の全構成要素を示す記号の中から前記電力系統の一部の構成要素を示す特定記号をマスクするための要求信号に応じて、
前記電力系統の全構成要素を記号で示した電力系統図情報を記憶部から読み出し、
前記電力系統図情報に含まれる前記特定記号の位置を示す位置情報と、前記特定記号をマスクするための色情報と、から前記特定記号をマスクするマスク情報を生成し、
前記記憶部から読み出された電力系統図情報と、前記位置情報及び色情報を有する前記マスク情報とを重ね合わせることにより、前記特定記号をマスクした電力系統図情報を生成する、
ことを特徴とするプログラム。
【請求項１７】
電力系統の構成要素を記号で示した電力系統図情報を生成する電力系統図情報生成システムに電力系統図情報生成方法を実施させるプログラムであって、
前記電力系統の全構成要素を示す記号の中から前記電力系統の一部の構成要素を示す特定記号をマスクするための要求信号に応じて、
前記電力系統を構成する各構成要素を記号で示した、前記電力系統図情報を生成するための構成要素情報を記憶する記憶部から、前記一部の構成要素以外の構成要素を示す構成要素情報を読み出すとともに、当該構成要素情報に基づいて前記特定記号をマスクした電力系統図情報を生成する、
ことを特徴とするプログラム。
【発明の詳細な説明】
【技術分野】
【０００１】
本発明は、電力系統図を示す電力系統図情報を生成する電力系統図情報生成システム、電力系統図情報生成システムの電力系統図情報生成方法、当該電力系統図情報生成システムに当該電力系統図情報生成方法を実施させるプログラムに関する。
【背景技術】
【０００２】
一般に、電力系統図は、発電機、負荷、母線、送電線、遮断器、断路器等の電力系統の構成要素を記号化したシンボルのネットワークを表わす図である。この電力系統図を示す電力系統図情報は、電力系統を監視する監視制御装置からの給電情報等に基づいて生成され、例えばこの電力系統の管轄である電力会社の社員の端末へ送信される。例えば、電力系統図情報を生成する電力系統図情報生成装置は、電力系統の状態が変化する都度、その状変情報を監視制御装置から受信して電力系統図に反映させる（例えば、特許文献１参照。）。ここで、電力系統図情報生成装置は、例えば電力系統全体の統括及び需給運用を実施している中央給電指令所等に設置されるものであり、監視制御装置は、例えば個々の発電所の運転及び監視を実施している制御所等に設置されるものである。
【０００３】
近年、電力の部分自由化にともない、例えば顧客は、電気事業法で定められた特定規模電気事業者（Power Producer and Supplier、以下「ＰＰＳ」と略称する）が発電した電力を、同法で定められた一般電気事業者たる電力会社の管轄にある送電線等を通じて購入できるようになっている。そこで、前述した電力系統には、このＰＰＳの発電機等が構成要素として組み込まれることになる。この電力系統図情報は、電力会社のみならずＰＰＳに関する情報を含むことになるため、電気事業法により、開示先に応じて開示範囲が制限されている。一般に、ＰＰＳにかかる電力供給に関する一連の業務を実施する部門は託送部門と称されている。この託送部門に所属する社員に対しては、上記電力系統の全ての構成要素の情報が開示可能な一方、託送外部門に所属する社員に対しては、当該部門に応じたＰＰＳにかかる構成要素の情報の開示が禁止されている。この情報の開示を禁止する行為は情報遮断と称されており、例えば電力会社内の託送部門及び託送外部門においても、或る情報については社外に対する説明責任等を負うべく部門間で共有する一方、別の或る情報については部門間で情報遮断が行われることが義務付けられている。
【０００４】
前述した電力系統図情報生成装置が情報遮断を実施する場合、複数の部門毎に、所定のＰＰＳ等の情報を含まない（情報遮断された）電力系統図情報を生成することになる。電力系統図情報生成装置と各部門の端末とが例えば電力会社内のイントラネットを介して通信可能に接続されている場合、電力系統図情報生成装置は、端末からの要求信号に応じて情報遮断された電力系統図情報を生成し、当該端末へ返信する。この場合、電力系統図情報生成装置は、例えば、複数の部門のそれぞれに対して所定のＰＰＳ等の情報を含まない複数の電力系統図情報を予め生成しておき、上記要求信号に応じてこれらから選択して返信する。
【特許文献１】特開２００１−１９７６６３号公報
【発明の開示】
【発明が解決しようとする課題】
【０００５】
しかしながら、前述した情報遮断を実施するためには、電力系統図情報生成装置は、予め部門数分の電力系統図情報を生成して、所定のデータベース（記憶部）に格納しておかなければならない。よって、この部門数が多くなるほど、データベースの容量に対する電力系統図情報の占有率が大きくなるため、このデータベースへの負荷が大きくなる。これは、データベースの容量の拡張等を強いることになり、結果的に設備コストの増大を招く虞がある。
【０００６】
また、もし情報遮断が実施される部門又はこの情報遮断の内容に変更があった場合、この変更の都度、部門数分の電力系統図情報を新たに生成し、前述したデータベースを更新しなければならない。これは、電力系統図情報生成装置を管理する例えば運転員に対して負担を強いることになり、結果的に維持コストの増大を招く虞がある。
【０００７】
本発明はかかる課題に鑑みてなされたものであり、その目的とするところは、電力系統図情報を記憶部に負担をかけず且つ容易に生成可能な電力系統図情報生成システムを提供することにある。
【課題を解決するための手段】
【０００８】
前記課題を解決するための発明は、電力系統の全構成要素を記号で示した電力系統図情報を記憶する第１の記憶部と、前記電力系統の全構成要素を示す記号の中から、前記電力系統の一部の構成要素を示す特定記号をマスクするマスク情報を記憶する第２の記憶部と、前記特定記号をマスクするための要求信号に応じて、前記第１の記憶部から読み出された電力系統図情報と、前記第２の記憶部から読み出されたマスク情報とを合成し、前記特定記号をマスクした電力系統図情報を生成する合成生成部と、を備えてなる。
【０００９】
この電力系統図情報生成システムによれば、合成生成部は、例えば、要求信号に応じて異なる特定記号をそれぞれマスクするように、第２の記憶部から異なるマスク情報を読み出すことができる。また、この合成生成部は、この異なるマスク情報のそれぞれを、例えば第１の記憶部に予め記憶された１つの電力系統図情報と合成して、要求信号に応じて異なる特定記号がそれぞれマスクされた異なる電力系統図情報とすることができる。このマスク情報は、特定記号のみに応じたものであるため、電力系統の全構成要素を示す記号を有する電力系統図情報と比べて例えば変更が容易である。よって、例えば想定される複数の要求信号のそれぞれに対して、複数の電力系統図情報を予め生成し記憶させておく場合に比べて、本発明の電力系統図情報生成システムの場合は、第１の記憶部及び第２の記憶部に対する負荷が小さい。つまり、例えば第１の記憶部が記憶する１つの電力系統図情報と、例えば第２の記憶部が記憶する複数のマスク情報とは、複数の電力系統図情報よりもデータのサイズが小さくてすむ。
【００１０】
また、前述した複数の電力系統図情報を予め生成し記憶させておく場合には、例えば想定される複数の要求信号自体が変更される都度、この複数の電力系統図情報を全て再生成しなければならない。一方、本発明の電力系統図情報生成システムによれば、例えばマスク情報のみを変更すればよい。これは、電力系統図情報を相対的に容易に生成できることに等しい。
【００１１】
以上から、電力系統図情報を記憶部に負担をかけず且つ容易に生成可能な電力系統図情報生成システムが提供されたことになる。
【００１２】
また、かかる電力系統図情報生成システムにおいて、前記第２の記憶部は、前記電力系統の一部の構成要素を示す複数の特定記号をマスクする複数のマスク情報を記憶し、前記合成生成部は、前記要求信号に応じて、前記第１の記憶部から読み出された電力系統図情報と、前記第２の記憶部から選択的に読み出された複数のマスク情報とを重ね合わせることにより、前記特定記号をマスクした電力系統図情報を生成する、ことが好ましい。
【００１３】
この電力系統図情報生成システムによれば、例えば、１つの電力系統図情報における複数の特定記号に対しては、第２の記憶部に予め記憶された複数のマスク情報から選択的に読み出した複数のマスク情報を用いてマスクすることができる。そこで、異なる要求信号に応じた複数の特定記号の異なる組み合わせには、異なる上記選択のし方を対応させればよい。これにより、特定記号のマスクがより容易になる上に、第２の記憶部に対する負荷がより軽減される。
【００１４】
また、かかる電力系統図情報生成システムにおいて、前記第２の記憶部は、前記電力系統の一部の構成要素を示す複数の特定記号をマスクする複数のマスク情報を記憶し、前記合成生成部は、前記要求信号に応じて、前記第２の記憶部から選択的に読み出された複数のマスク情報から単一のマスク情報を生成し、前記第１の記憶部から読み出された電力系統図情報と、前記単一のマスク情報とを重ね合わせることにより、前記特定記号をマスクした電力系統図情報を生成する、ことが好ましい。
【００１５】
この電力系統図情報生成システムによれば、例えば、１つの電力系統図情報における複数の特定記号の組み合わせに対しては、第２の記憶部に予め記憶された複数のマスク情報から選択し組み合わせて得た単一のマスク情報によりマスクすることができる。そこで、異なる要求信号に応じた複数の特定記号の異なる組み合わせには、異なる上記選択のし方を対応させればよい。これにより、特定記号のマスクがより容易になる上に、第２の記憶部に対する負荷がより軽減される。また、一旦この単一のマスク情報を生成すれば、例えば続けて同じ要求信号を受信した場合、２度目以後の要求信号に対しては、上記選択及び組み合わせの動作を省くことが可能であるため、要求信号に対して電力系統図情報をより迅速に生成できる。
【００１６】
また、かかる電力系統図情報生成システムにおいて、前記要求信号を発生する要求信号発生部と、前記要求信号に応じて前記合成生成部で生成された電力系統図情報を表示する表示部と、を有する端末、を更に備えたこととしてもよい。  
この電力系統図情報生成システムによれば、例えば電力系統を管理する電力会社の社員は、例えばこの電力系統から離れた如何なる場所においても、端末を通じて、要求信号を発生させるとともに、表示部に表示された電力系統図情報を閲覧できる。
【００１７】
また、かかる電力系統図情報生成システムにおいて、前記第１の記憶部、前記第２の記憶部、及び前記合成生成部を、前記端末の外部に備えたこととしてもよい。  
この電力系統図情報生成システムによれば、端末は、第１の記憶部、第２の記憶部、及び合成生成部に対応する例えばメモリ、プログラム、モジュール等を有する必要がないため、その設備コストを節減できる。また、端末の要求信号発生部が、当該端末を使用する例えば前述した社員に固有の要求信号を発生するようになっていれば、この社員に固有の電力系統図情報は、端末の外部で生成される。よって、端末の表示部は、生成された電力系統図情報を表示する機能を有するだけでよいため、端末毎に異なる機能を有する必要がなく、その設備コストをより節減できる。
【００１８】
また、かかる電力系統図情報生成システムにおいて、前記端末は、前記第２の記憶部及び前記合成生成部を有することとしてもよい。  
この電力系統図情報生成システムによれば、端末が第２の記憶部及び合成生成部を有しているため、この端末に対しては例えば１つの電力系統図情報のみが送信されればよい。これにより、端末と第１の記憶部との間の例えば通信線に対するデータ転送量が少なくてすむため、その設備コストをより節減できる。
【００１９】
また、前記課題を解決するための発明は、電力系統の全構成要素を記号で示した電力系統図情報を記憶する記憶部と、前記電力系統の全構成要素を示す記号の中から前記電力系統の一部の構成要素を示す特定記号をマスクするための要求信号に応じて、前記特定記号をマスクするマスク情報を生成するマスク情報生成部と、前記要求信号に応じて、前記記憶部から読み出された電力系統図情報と、前記マスク情報とを合成し、前記特定記号をマスクした電力系統図情報を生成する合成生成部と、を備えてなる。
【００２０】
この電力系統図情報生成システムによれば、マスク情報生成部は、例えば、要求信号に応じて異なる特定記号をそれぞれマスクするように、異なるマスク情報を生成することができる。また、合成生成部は、この異なるマスク情報のそれぞれを、例えば記憶部に予め記憶された１つの電力系統図情報と合成して、要求信号に応じて異なる特定記号がそれぞれマスクされた異なる電力系統図情報を生成することができる。このマスク情報は、特定記号のみに応じたものであるため、電力系統の全構成要素を示す記号を有する電力系統図情報と比べて例えば変更が容易である。よって、例えば想定される複数の要求信号のそれぞれに対して、複数の電力系統図情報を予め生成し記憶させておく場合に比べて、本発明の電力系統図情報生成システムの場合は、記憶部に対する負荷が小さい。つまり、例えば記憶部が記憶する１つの電力系統図情報は、複数の電力系統図情報よりもデータのサイズが小さくてすむ。
【００２１】
また、前述した複数の電力系統図情報を予め生成し記憶させておく場合には、例えば想定される複数の要求信号自体が変更される都度、この複数の電力系統図情報を全て再生成しなければならない。一方、本発明の電力系統図情報生成システムによれば、例えばマスク情報のみを変更すればよい。これは、電力系統図情報を相対的に容易に生成できることに等しい。
【００２２】
以上から、電力系統図情報を記憶部に負担をかけず且つ容易に生成可能な電力系統図情報生成システムが提供されたことになる。
【００２３】
また、かかる電力系統図情報生成システムにおいて、前記マスク情報は、前記電力系統図情報に含まれる前記特定記号の位置を示す位置情報と、前記特定記号をマスクするための色情報と、を有し、前記マスク情報生成部は、前記要求信号に応じて位置情報及び色情報から前記マスク情報を生成し、前記合成生成部は、前記電力系統図情報と前記マスク情報とを重ね合わせることにより、前記特定記号をマスクした電力系統図情報を生成することが好ましい。
【００２４】
この電力系統図情報生成システムによれば、マスク情報生成部は、マスクすべき特定記号の位置を示す位置情報と、例えばこの位置の背景と略同一な色を示す色情報とを有するマスク情報を生成できる。これにより、電力系統図情報において上記特定記号を例えば視認不可となるようにマスクすることができる。
【００２５】
また、かかる電力系統図情報生成システムにおいて、前記要求信号を発生する要求信号発生部と、前記要求信号に応じて前記合成生成部で生成された電力系統図情報を表示する表示部と、を有する端末、を更に備えたこととしてもよい。  
この電力系統図情報生成システムによれば、例えば遠隔地から、端末を通じて、要求信号を発生させるとともに、電力系統図情報を閲覧できる。
【００２６】
また、かかる電力系統図情報生成システムにおいて、前記記憶部、前記マスク情報生成部、及び前記合成生成部を、前記端末の外部に備えたこととしてもよい。  
この電力系統図情報生成システムによれば、端末の設備コストをより節減できる。
【００２７】
また、かかる電力系統図情報生成システムにおいて、前記端末は、前記マスク情報生成部及び前記合成生成部を有することとしてもよい。  
この電力系統図情報生成システムによれば、端末と記憶部との間の例えば通信線に対するデータ転送量が少なくてすむため、その設備コストをより節減できる。
【００２８】
また、前記課題を解決するための発明は、電力系統を構成する各構成要素を記号で示した、電力系統図情報を生成するための構成要素情報を記憶する記憶部と、前記電力系統の全構成要素を示す記号の中から前記電力系統の一部の構成要素を示す特定記号をマスクするための要求信号に応じて、前記記憶部から前記一部の構成要素以外の構成要素を示す構成要素情報を読み出すとともに、当該構成要素情報に基づいて前記特定記号をマスクした電力系統図情報を生成する電力系統図情報生成部と、を備えてなる。
【００２９】
この電力系統図情報生成システムによれば、電力系統図情報生成部は、例えば要求信号に応じて異なる特定記号の構成要素を含まない異なる情報（一部の構成要素以外の構成要素）を記憶部から読み出し、この異なる情報のそれぞれに基づいて、要求信号に応じて異なる特定記号がそれぞれマスクされた異なる電力系統図情報を生成することができる。この一部の構成要素を示す構成要素情報は、特定記号のみに応じたものであるため、電力系統の全構成要素を示す記号を有する電力系統図情報と比べて例えば変更が容易である。よって、例えば想定される複数の要求信号のそれぞれに対して、複数の電力系統図情報を予め生成し記憶させておく場合に比べて、本発明の電力系統図情報生成システムの場合は、記憶部に対する負荷が小さい。つまり、記憶部が記憶する構成要素情報は、複数の電力系統図情報よりもデータのサイズが小さくてすむ。
【００３０】
また、前述した複数の電力系統図情報を予め生成し記憶させておく場合には、例えば想定される複数の要求信号自体が変更される都度、この複数の電力系統図情報を全て再生成しなければならない。一方、本発明の電力系統図情報生成システムによれば、例えば一部の構成要素を示す構成要素情報のみを変更すればよい。これは、電力系統図情報を相対的に容易に生成できることに等しい。
【００３１】
以上から、電力系統図情報を記憶部に負担をかけず且つ容易に生成可能な電力系統図情報生成システムが提供されたことになる。
【００３２】
また、かかる電力系統図情報生成システムにおいて、前記要求信号を発生する要求信号発生部と、前記要求信号に応じて前記電力系統図情報生成部で生成された電力系統図情報を表示する表示部と、を有する端末、を更に備えたこととしてもよい。  
この電力系統図情報生成システムによれば、例えば遠隔地から、端末を通じて、要求信号を発生させるとともに、電力系統図情報を閲覧できる。
【００３３】
また、かかる電力系統図情報生成システムにおいて、前記記憶部及び前記電力系統図情報生成部を、前記端末の外部に備えたこととしてもよい。  
この電力系統図情報生成システムによれば、端末の設備コストをより節減できる。
【００３４】
また、前記課題を解決するための発明は、電力系統の構成要素を記号で示した電力系統図情報を生成する電力系統図情報生成システムの電力系統図情報生成方法であって、前記電力系統の全構成要素を示す記号の中から前記電力系統の一部の構成要素を示す特定記号をマスクするための要求信号に応じて、前記電力系統の全構成要素を記号で示した電力系統図情報を第１の記憶部から読み出し、前記特定記号をマスクするマスク情報を第２の記憶部から読み出し、前記第１の記憶部から読み出された電力系統図情報と、前記第２の記憶部から読み出されたマスク情報とを合成することにより、前記特定記号をマスクした電力系統図情報を生成してなる。
【００３５】
また、前記課題を解決するための発明は、電力系統の構成要素を記号で示した電力系統図情報を生成する電力系統図情報生成システムの電力系統図情報生成方法であって、前記電力系統の全構成要素を示す記号の中から前記電力系統の一部の構成要素を示す特定記号をマスクするための要求信号に応じて、前記電力系統の全構成要素を記号で示した電力系統図情報を記憶部から読み出し、前記特定記号をマスクするマスク情報を生成し、前記記憶部から読み出された電力系統図情報と、前記マスク情報とを合成することにより、前記特定記号をマスクした電力系統図情報を生成してなる。
【００３６】
また、前記課題を解決するための発明は、電力系統の構成要素を記号で示した電力系統図情報を生成する電力系統図情報生成システムの電力系統図情報生成方法であって、前記電力系統の全構成要素を示す記号の中から前記電力系統の一部の構成要素を示す特定記号をマスクするための要求信号に応じて、前記電力系統を構成する各構成要素を記号で示した、前記電力系統図情報を生成するための構成要素情報を記憶する記憶部から、前記一部の構成要素以外の構成要素を示す構成要素情報を読み出すとともに、当該構成要素情報に基づいて前記特定記号をマスクした電力系統図情報を生成してなる。
【００３７】
また、前記課題を解決するための発明は、電力系統の構成要素を記号で示した電力系統図情報を生成する電力系統図情報生成システムに電力系統図情報生成方法を実施させるプログラムであって、前記電力系統の全構成要素を示す記号の中から前記電力系統の一部の構成要素を示す特定記号をマスクするための要求信号に応じて、前記電力系統の全構成要素を記号で示した電力系統図情報を第１の記憶部から読み出し、前記特定記号をマスクするマスク情報を第２の記憶部から読み出し、前記第１の記憶部から読み出された電力系統図情報と、前記第２の記憶部から読み出されたマスク情報とを合成することにより、前記特定記号をマスクした電力系統図情報を生成してなる。
【００３８】
また、前記課題を解決するための発明は、電力系統の構成要素を記号で示した電力系統図情報を生成する電力系統図情報生成システムに電力系統図情報生成方法を実施させるプログラムであって、前記電力系統の全構成要素を示す記号の中から前記電力系統の一部の構成要素を示す特定記号をマスクするための要求信号に応じて、前記電力系統の全構成要素を記号で示した電力系統図情報を記憶部から読み出し、前記特定記号をマスクするマスク情報を生成し、前記記憶部から読み出された電力系統図情報と、前記マスク情報とを合成することにより、前記特定記号をマスクした電力系統図情報を生成してなる。
【００３９】
また、前記課題を解決するための発明は、電力系統の構成要素を記号で示した電力系統図情報を生成する電力系統図情報生成システムに電力系統図情報生成方法を実施させるプログラムであって、前記電力系統の全構成要素を示す記号の中から前記電力系統の一部の構成要素を示す特定記号をマスクするための要求信号に応じて、前記電力系統を構成する各構成要素を記号で示した、前記電力系統図情報を生成するための構成要素情報を記憶する記憶部から、前記一部の構成要素以外の構成要素を示す構成要素情報を読み出すとともに、当該構成要素情報に基づいて前記特定記号をマスクした電力系統図情報を生成してなる。
【発明の効果】
【００４０】
電力系統図情報を記憶部に負担をかけず且つ容易に生成できる。
【発明を実施するための最良の形態】
【００４１】
＝＝＝電力系統図情報生成システムの構成＝＝＝
図１乃至図３を参照しつつ、本実施の形態（後述する第１の実施の形態）の電力系統図情報生成システムの構成について説明する。図１は、本実施の形態の電力系統図情報生成システムの構成例を示すブロック図である。図２は、本実施の形態の各種情報のデータベースの構成例を示す図表である。図３は、本実施の形態の画像情報のデータベースの構成例を示す図表である。
【００４２】
図１に例示されるように、本実施の形態の電力系統図情報生成システム１０は、電力系統図情報を生成する電力系統図情報生成装置１００と、電力系統図をディスプレイに表示するＯＡ端末３００とを備えて構成されたものである。電力系統図情報生成装置１００及びＯＡ端末３００は例えばイントラネット３０を介して相互に通信可能に接続されている。本実施の形態の電力系統図情報生成装置１００は、例えば電力系統全体の統括及び需給運用を実施している中央給電指令所等に設置された情報処理装置であり、本実施の形態の複数のＯＡ端末３００は、例えば電力会社の事業所の複数の部門にわたって設置された情報処理装置である。一方、この電力系統図情報生成装置１００は、制御系ネットワーク２０を介して、監視制御装置２００と相互に通信可能に接続されている。この監視制御装置２００は、例えば電力系統を構成する個々の発電所の運転及び監視を実施している制御所等に設置されて、電力系統図情報生成装置１００に対して電力系統の給電情報を送信する情報処理装置である。
【００４３】
本実施の形態の電力系統図情報生成装置１００は、アプリケーションサーバ１１０、画像データ変換サーバ１２０、データベースサーバ１３０、発行管理サーバ１４０、ＷＷＷサーバ１５０、及びシステム監視サーバ１６０のサーバ群が、例えばＬＡＮ等の通信網１８０により相互に接続されたものである。尚、図１に例示されたファイアウォール１７０は、電力系統図情報生成装置１００を不正侵入から防止する装置である。
【００４４】
アプリケーションサーバ１１０は、例えば監視制御装置２００から受信した電力系統の事故情報等を処理する機能を有するサーバである。画像データ変換サーバ１２０は、監視制御装置２００から給電情報を受信し、この給電情報に基づいて電力系統図情報を生成し、更にその画像データを生成する機能を有するサーバである。データベースサーバ１３０は、後述する、電力系統図情報データベース１３１、遮断情報データベース１３２、マスクパターン情報データベース１３３、基本画像データベース１３４、マスクパターン画像データベース１３５、及び作業用データベース１３６を備えて、これらを管理する機能を有するサーバである。発行管理サーバ１４０は、後述するＩＤ情報データベース１４１を備えて、電力会社の各部門に所属する社員の社員情報を管理する機能を有するサーバである。ＷＷＷサーバ１５０は、ＯＡ端末３００からの要求信号に応じて情報遮断された電力系統図情報を当該ＯＡ端末３００に送信する機能を有するサーバである。また、このＷＷＷサーバ１５０は、前述した事故情報等をＯＡ端末３００に送信する機能を有するサーバでもある。システム監視サーバ１６０は、電力系統図情報生成装置１００の状態を監視する機能を有するサーバである。
【００４５】
本実施の形態のＯＡ端末３００は、ＣＰＵ（不図示）及びメモリ（不図示）を有する端末３００ａと、電力系統図を表示するディスプレイ３００ｂと、社員情報を記憶するＩＣカード（不図示）からこの社員情報を読み出すカードリーダ３００ｃと、を備えたものである。
【００４６】
尚、本実施の形態の電力系統図情報生成装置１００は、例えばインターネット４０を介して前述した社外における一般ユーザが使用する端末４００に対しても接続可能であるとする。このため、本実施の形態の電力系統図情報生成装置１００は、ＷＷＷサーバ５００及びファイアウォール６００を経由してインターネット４０に接続されている。このＷＷＷサーバ５００及びファイアウォール６００は、例えば、前述したＷＷＷサーバ１５０及びファイアウォール１７０と略同様の機能を有するものである。
【００４７】
また、本実施の形態では、電力系統図情報生成装置１００及びＯＡ端末３００が電力系統図情報生成システムに相当するが、この電力系統図情報生成装置１００のみが電力系統図情報生成システムに相当するものであってもよい。
【００４８】
＜＜＜各種データベース＞＞＞
図２（ａ）に例示されるように、前述したＩＤ情報データベース１４１は、電力会社の社員を識別するＩＤ情報に対して、この社員が所属する部門を示す情報を対応付けたものである。本実施の形態のＩＤ情報は、例えば、発行管理サーバ１４０により各社員に対して予め生成されてもよいし、或いは、各社員によりＯＡ端末３００を通じてＩＤ情報データベース１４１に予め登録されてもよい。また、本実施の形態のＩＤ情報は、ＩＣカードに記憶され、このＩＣカードは予め各社員に配布されているものとする。このＩＣカードの発行処理は、例えば発行管理サーバ１４０により、ＩＤ情報データベース１４１の生成とともに実施されてもよい。後述するように、本実施の形態では、ＯＡ端末３００のディスプレイ３００ｂ上で電力系統図を閲覧したい社員は、例えば自身のＩＣカードをカードリーダ３００ｃに翳すことにより、閲覧用のブラウザプログラムを起動できるようになっている。
【００４９】
図２（ｂ）に例示されるように、前述した電力系統図情報データベース１３１は、発電所やＰＰＳ発電機等の電力系統の全ての構成要素を示す情報に対して、当該構成要素を示す記号の情報と、電力系統図における当該記号の位置を示す座標の情報（Ｘ、Ｙ）とをそれぞれ対応付けたものである。本実施の形態の電力系統図情報データベース１３１は、前述したように、監視制御装置２００からの給電情報に基づいて、画像データ変換サーバ１２０により例えば自動的に生成されるものである。但し、これに限定されるものではなく、電力系統図情報データベース１３１において、例えば、長期的に変更のない主たる部分は、運転員により所定の端末（不図示）を通じて予め入力されたデータに基づいて生成され、その他の部分は、監視制御装置３００からの給電情報に基づいて例えば自動的に生成されるものであってもよい。何れの場合においても、後述するように、この電力系統図情報データベース１３１は、監視制御装置３００から新たな給電情報を受信する都度、例えば自動的に更新されるものとする。
【００５０】
図２（ｃ）に例示されるように、前述した遮断情報データベース１３２は、電力会社の社員が所属する部門を示す情報に対して、当該部門への開示が禁止された電力系統の構成要素を示す情報を対応付けたものである。前述したように、所定の部門に対して所定の構成要素の開示を禁止することは、電気事業法に基づいて予め定められている。この電気事業法によれば、例えば、所定の部門に対して、所定の特定規模電気事業者（Power Producer and Supplier、以下「ＰＰＳ」と略称する）の発電機等の情報を開示してはならないとされている。本実施の形態の遮断情報データベース１３２は、例えば運転員により所定の端末を通じて予め入力された上記部門及び構成要素のデータに基づいて、画像データ変換サーバ１２０により予め生成されるものである。もし、例えば電力会社の組織の変更により、部門を示す情報等に変更があった場合  或いは、例えば電力系統の構成の変更により、開示が禁止された構成要素等に変更があった場合、この遮断情報データベース１３２は、このような変更に応じて運転員により再入力されたデータに基づいて更新されるものである。
【００５１】
図２（ｄ）に例示されるように、前述したマスクパターン情報データベース１３３は、何れかの部門で情報遮断の対象となり得る構成要素を示す情報に対して、当該構成要素を示す記号の情報と、当該記号をマスクするマスクパターンの形状を示すマスクパターン情報と、電力系統図における当該マスクパターンの位置を示す座標の情報（Ｘ、Ｙ）とを対応付けたものである。このマスクパターン情報及び座標の情報は、ディスプレイ３００ｂ上で電力系統図における該当する記号を視認不可とすべく予め設定されたものである。尚、本実施の形態のマスクパターン情報データベース１３３における構成要素は、例えば、前述した遮断情報データベース１３２における構成要素に加えて、他に情報遮断の対象となり得る構成要素を含むものとする。これにより、もし遮断情報データベース１３２に変更があっても、この変更が上記情報遮断の対象となり得る構成要素の範囲内の変更であれば、この変更にともないマスクパターン情報データベース１３３を頻繁に変更する必要がなくなる。
【００５２】
図３（ａ）に例示されるように、前述した基本画像データベース１３４は、電力系統図情報データベース１３１に基づいて生成された基本画像データ１３４ａを有するデータベースである。本実施の形態では、電力系統図情報データベース１３１から基本画像データ１３４ａを生成することは、周知の描画用プログラムに基づいて例えば自動的に実施されるものとする。また、この基本画像データ１３４ａは、電力系統図情報データベース１３１が更新される都度、例えば自動的に更新されるものとする。後述するように、この基本画像データ１３４ａは、各部門の端末３００に対して共通に使用されるため、例えば１つの電力系統に対して１つ生成されればよい。よって、同図の例示では、基本画像データベース１３４には１つの基本画像データ１３４ａが格納されている。尚、本実施の形態では、前述した描画用プログラムは、例えば画像データ変換サーバ１２０が備える所定のデータベース（不図示）に格納されるものとする。
【００５３】
図３（ｂ）に例示されるように、前述したマスクパターン画像データベース１３５は、マスクパターン情報データベース１３３におけるマスクパターン情報に基づいて予め生成されたマスクパターン画像データ１３５ａ、１３５ｂ、１３５ｃを有するデータベースである。このマスクパターン画像データ１３５ａ、１３５ｂ、１３５ｃは、具体的には、ディスプレイ３００ｂ上で電力系統図における該当する記号を視認不可とするような形状を有する画像データである。本実施の形態では、マスクパターン情報からマスクパターン画像データ１３５ａ、１３５ｂ、１３５ｃを生成することは、前述した周知の描画用プログラムに基づいて例えば自動的に実施されるものとする。
【００５４】
図３（ｃ）に例示されるように、作業用データベース１３６は、例えば、後述する、マスクレイヤー画像データ１３６ａ、各部門用画像データ１３６ｄ（図５参照）、各部門用データ１３１ａ（図９参照）等のデータを一時的に格納するデータベースである。
【００５５】
＝＝＝電力系統図情報生成方法＝＝＝
＜＜＜第１の実施の形態＞＞＞
図４及び図５を参照しつつ、前述した構成を備えた第１の実施の形態の電力系統図情報生成システム１０における電力系統図情報生成装置１００による電力系統図情報生成方法について説明する。図４は、電力系統図情報生成装置１００における画像データ変換サーバ１２０及びＷＷＷサーバ１５０による第１の実施の形態の処理の手順を示すフローチャートである。図５は、第１の実施の形態の基本画像データ１３４ａ及び各部門用画像データ１３６ｄ、１３６ｅの関係を示す模式図である。
【００５６】
電力系統図情報生成装置１００（具体的には、この中の画像データ変換サーバ１２０）は、監視制御装置２００から給電情報を受信したか否かを判別する（Ｓ１００）。この給電情報には、例えば電力系統における遮断器及び断路器の開閉状態を示す情報や、送電線の潮流値及び母線の電圧値の情報等がある。これらの情報は、監視制御装置２００から、定期的又は不定期的に、例えば時刻情報とともに送信される。尚、本実施の形態では、電力系統の事故時において例えばミリ秒オーダーの短い時間間隔で受信する状変情報については考慮しないこととする。但し、本実施の形態の電力系統図情報生成システム１０は、このようなミリ秒オーダーの短い時間間隔で受信する状変情報を処理する機能は備えているものとする。つまり、このような機能を果たすための周知の構成は、例えば特開２００１−１９７６６３号公報に開示されており、本実施の形態の電力系統図情報生成システム１０は、例えばこの構成を備えているものとする。
【００５７】
もし、監視制御装置２００から給電情報を受信していないと判別した場合（Ｓ１００：ＮＯ）、電力系統図情報生成装置１００は、後述するステップＳ１０３の処理を実施する。
【００５８】
一方、監視制御装置２００から給電情報を受信したと判別した場合（Ｓ１００：ＹＥＳ）、電力系統図情報生成装置１００は、受信した給電情報に基づいて、電力系統図情報データベース１３１を更新し（Ｓ１０１）、この更新された電力系統図情報データベース１３１に基づいて電力系統の基本画像データ１３４ａを新たに生成して（図５参照）、基本画像データベース１３４を更新する（Ｓ１０２）。
【００５９】
次に、電力系統図情報生成装置１００（具体的には、この中のＷＷＷサーバ１５０）は、ＯＡ端末３００から、電力系統図を要求する旨の要求信号を受信したか否かを判別する（Ｓ１０３）。この要求信号は、ＯＡ端末３００の前述したメモリに記憶されたブラウザプログラムに基づいて生成される。このブラウザプログラムは、例えば、インターネットで一般に使用されるＷｅｂページを閲覧するためのブラウザプログラム（例えばＷＷＷブラウザ）が本実施の形態のイントラネット３０に適用されたものである。このブラウザプログラムは、例えばディスプレイ３００ｂに表示されたメニュー画面における更新ボタンがクリックされると、ＯＡ端末３００が要求信号を送信するように構成されている。また、ＯＡ端末３００の前述したメモリに記憶されたオペレーティングシステムは、或る部門Ａ（図１）の社員が自身のＩＣカードをカードリーダ３００ｃに翳してＯＡ端末３００にログインすると、前述したブラウザプログラムが例えば自動的に起動するように構成されている。ここで、前述した要求信号は、例えば、イントラネット３０においてＷＷＷサーバ１５０を示すＵＲＬ情報と、ＯＡ端末３００のＩＰアドレス情報と、このＯＡ端末３００のカードリーダ３００ｃにより読み込まれたＩＤ情報と、を含むものである。
【００６０】
もし、ＯＡ端末３００から要求信号を受信していないと判別した場合（Ｓ１０３：ＮＯ）、電力系統図情報生成装置１００（具体的には、この中の画像データ変換サーバ１２０）は、前述したステップＳ１００の処理を再度実施する。
【００６１】
一方、ＯＡ端末３００から要求信号を受信したと判別した場合（Ｓ１０３：ＹＥＳ）、電力系統図情報生成装置１００（具体的には、この中のＷＷＷサーバ１５０）は、ＩＤ情報データベース１４１を参照して、要求信号に含まれるＩＤ情報に該当する社員が所属する部門を示す情報を取得する（Ｓ１０４）。
【００６２】
次に、電力系統図情報生成装置１００（具体的には、この中の画像データ変換サーバ１２０）は、遮断情報データベース１３２を参照して、ステップＳ１０４で特定された部門への開示が禁止された構成要素（例えば、所定のＰＰＳ発電機）を示す情報を取得する。また、電力系統図情報生成装置１００は、マスクパターン情報データベース１３３を参照して、上記構成要素を示す情報に対応付けられたマスクパターン情報及びその座標の情報を取得する。更に、電力系統図情報生成装置１００は、マスクパターン画像データベース１３５から、上記マスクパターン情報に該当するマスクパターン画像データ１３５ａ、１３５ｂ、１３５ｃを取得する。ここで、特定された部門に対して上記構成要素が複数ある場合には、複数のマスクパターン画像データ１３５ａ、１３５ｂ、１３５ｃが取得されることになる。電力系統図情報生成装置１００は、上記座標の情報を、基本画像データ１３４ａの輪郭に対する位置と見立てて、マスクパターン画像データ１３５ａ、１３５ｂ、１３５ｃを配置してマスクレイヤー画像データ（例えば、マスクレイヤー画像データ１３６ｂ）（図５参照）を生成し、これを作業用データベース１３６に格納する（Ｓ１０５）。尚、このマスクレイヤー画像データ１３６ｂを生成することは、前述した周知の描画用プログラムに基づいて実施されるものとする。
【００６３】
次に、電力系統図情報生成装置１００は、基本画像データベース１３４に格納された基本画像データ１３４ａと、作業用データベース１３６に格納されたマスクレイヤー画像データ（例えば、マスクレイヤー画像データ１３６ｂ）とを重ね合わせて、該当部門用画像データ（例えば、部門Ａ用画像データ１３６ｄ）を生成し（図５参照）、作業用データベース１３６に格納する（Ｓ１０６）。尚、上記合重ね合わせは、前述した周知の描画用プログラムに基づいて実施されるものとする。
【００６４】
次に、電力系統図情報生成装置１００（具体的には、この中のＷＷＷサーバ１５０）は、要求信号に含まれるＯＡ端末３００のＩＰアドレス情報あてに、作業用データベース１３６に格納された該当部門用画像データ（例えば部門Ａ用画像データ１３６ｄ）を送信する。このとき、ＯＡ端末３００においてディスプレイ３００ｂ上の前述した更新ボタンがクリックされたメニュー画面には、所定の構成要素が視認不可となった電力系統図が表示される（Ｓ１０７）。
【００６５】
図５に例示されるように、基本画像データ１３４ａでは電力系統の全ての構成要素が記号で示されている。例えば、電力会社の部門Ａの社員が、自身のＩＣカードをカードリーダ３００ｃに翳してＯＡ端末３００にログインし、ブラウザプログラムを起動してディスプレイ３００ｂに表示されたメニュー画面の更新ボタンをクリックしたとする。このとき、この部門Ａへの開示が禁止されているＰＰＳ発電者の発電機（例えば、図５における基本画像データ１３４ａの中央）をマスクするマスクレイヤー画像１３６ｂが生成され、基本画像データ１３４ａに重ね合わされて、該当する発電機がマスクされた（隠された）部門Ａ用画像データ１３６ｄが生成される。一方、電力会社の部門Ｂの社員の場合、この部門Ｂへの開示が禁止されているＰＰＳ発電者の発電機（例えば、図５における基本画像データ１３４ａの右側）をマスクするマスクレイヤー画像１３６ｃが生成され、基本画像データ１３４ａに重ね合わされて、該当する発電機がマスクされた部門Ｂ用画像データ１３６ｅが生成される。
【００６６】
尚、本実施の形態では、１つのマスクレイヤー画像データ１３６ｂは、複数のマスクパターン画像データ１３５ａ、１３５ｂ、１３５ｃを組み合わせて生成されたものであるが、これに限定されるものではない。例えば、１つのマスクパターン画像データからなる１つのマスクレイヤー画像データが複数組あって、この複数組を１つのマスクレイヤー画像データとみなしてもよい。
【００６７】
また、本実施の形態では、マスクレイヤー画像データ１３６ｂは要求信号を受信する都度生成され作業用データベース１３６に格納されるものであるが、これに限定されるものではない。例えば、予め部門数分のマスクレイヤー画像データを生成しておき、例えばマスクパターン画像データベース１３５等に格納しておいてもよい。
【００６８】
＜＜＜第２の実施の形態＞＞＞
図６及び図７を参照しつつ、前述した構成を備えた電力系統図情報生成システム１０における電力系統図情報生成装置１００による電力系統図情報生成方法について説明する。図６は、電力系統図情報生成装置１００における画像データ変換サーバ１２０及びＷＷＷサーバ１５０による第２の実施の形態の処理の手順を示すフローチャートである。図７は、第２の実施の形態の基本画像データ１３４ａ及び各部門用画像データ１３６ｆ、１３６ｇの関係を示す模式図である。
【００６９】
尚、第２の実施の形態では、前述したマスクパターン情報データベース１３３はマスクパターン情報を有する必要はなく、電力系統図情報生成装置１００はマスクパターン画像データベース１３５を備えている必要はないものとする。また、第２の実施の形態では、マスクパターン情報データベース１３３における記号の情報は、具体的には、当該記号の形状、サイズ、及び電力系統図における当該記号の背景の色、に関する情報を有するものとする。以上が、第２の実施の形態の電力系統図情報生成装置１００の構成において、第１の実施の形態の場合と相違する部分である。
【００７０】
先ず、電力系統図情報生成装置１００における画像データ変換サーバ１２０は、前述したステップＳ１００〜Ｓ１０２の処理と同様の処理を実施する（Ｓ２００〜Ｓ２０２）。次に、電力系統図情報生成装置１００におけるＷＷＷサーバ１５０は、前述したステップＳ１０３及びＳ１０４の処理と同様の処理を実施する（Ｓ２０３及びＳ２０４）。以上の処理により、電力系統図情報データベース１３１及び基本画像データ１３４ａ（図７参照）が新たに生成されたり、要求信号の送信元であるＯＡ端末３００を使用する社員の所属する部門が特定されたりする。
【００７１】
次に、電力系統図情報生成装置１００（具体的には、この中の画像データ変換サーバ１２０）は、遮断情報データベース１３２を参照して、特定された部門への開示が禁止された構成要素（例えば、所定のＰＰＳ発電機）を示す情報を取得する。また、電力系統図情報生成装置１００は、マスクパターン情報データベース１３３を参照して、上記構成要素を示す情報に対応付けられた記号の情報及びその座標の情報（位置情報）を取得する。更に、電力系統図情報生成装置１００は、上記記号の情報に基づいて、当該記号の形状、サイズ、及び電力系統図における当該記号の背景の色（色情報）を有するマスクパターン画像データ１３５ａ、１３５ｂ（図７参照）を生成し、作業用データベース１３６に格納する（Ｓ２０５）。ここで、特定された部門に対して上記構成要素が複数ある場合には、複数のマスクパターン画像データ１３５ａ、１３５ｂが生成されることになる。尚、このマスクパターン画像データ１３５ａ、１３５ｂを生成することは、前述した周知の描画用プログラムに基づいて実施されるものとする。
【００７２】
次に、電力系統図情報生成装置１００は、基本画像データベース１３４に格納された基本画像データ１３４ａに対して、作業用データベース１３６に格納されたマスクパターン画像データ１３５ａ、１３５ｂを、電力系統図における上記座標の情報が示す位置に重ね合わせて、該当部門用画像データ（例えば、部門Ａ用画像データ１３６ｆ又は部門Ｂ用画像データ１３６ｇ）を生成し（図７参照）、作業用データベース１３６に格納する（Ｓ２０６）。尚、上記重ね合わせは、前述した周知の描画用プログラムに基づいて実施されるものとする。また、本実施の形態では、マスクすべき記号と同じ形状、サイズ、及び電力系統図における当該記号の背景の色を有するマスクパターン画像データを生成したが、これに限定されるものではない。例えば、マスクすべき記号の座標情報が示す位置に、当該記号が視認不可となるような所定の色を有するマスクパターン画像データを重ね合わせるものであればよい。
【００７３】
次に、電力系統図情報生成装置１００（具体的には、この中のＷＷＷサーバ１５０）は、要求信号に含まれるＯＡ端末３００のＩＰアドレス情報あてに、作業用データベース１３６に格納された該当部門用画像データ（例えば、部門Ａ用画像データ１３６ｆ又は部門Ｂ用画像データ１３６ｇ）を送信する。このとき、ＯＡ端末３００においてディスプレイ３００ｂ上の前述した更新ボタンがクリックされたメニュー画面には、所定の構成要素が視認不可となった電力系統図が表示される（Ｓ２０７）。
【００７４】
＜＜＜第３の実施の形態＞＞＞
図８及び図９を参照しつつ、前述した構成を備えた電力系統図情報生成システム１０における電力系統図情報生成装置１００による電力系統図情報生成方法について説明する。図８は、電力系統図情報生成装置１００における画像データ変換サーバ１２０及びＷＷＷサーバ１５０による第３の実施の形態の処理の手順を示すフローチャートである。図９は、第３の実施の形態の、電力系統図情報データベース１３１、各部門用データ１３１ａ、１３１ｂ、及び各部門用画像データ１３６ｈ、１３６ｉの関係を示す模式図である。
【００７５】
尚、第３の実施の形態では、電力系統図情報生成装置１００は、マスクパターン情報データベース１３３、基本画像データベース１３４、及びマスクパターン画像データベース１３５を備えている必要はないものとする。以上が、第３の実施の形態の電力系統図情報生成装置１００の構成において、第１の実施の形態の場合と相違する部分である。
【００７６】
電力系統図情報生成装置１００（具体的には、この中の画像データ変換サーバ１２０）は、監視制御装置２００から給電情報を受信したか否かを判別する（Ｓ３００）。もし、監視制御装置２００から給電情報を受信していないと判別した場合（Ｓ３００：ＮＯ）、電力系統図情報生成装置１００は、後述するステップＳ３０２の処理を実施する。一方、監視制御装置２００から給電情報を受信したと判別した場合（Ｓ３００：ＹＥＳ）、電力系統図情報生成装置１００は、受信した給電情報に基づいて、電力系統図情報データベース１３１（図９参照）を更新する（Ｓ３０１）。
【００７７】
次に、電力系統図情報生成装置１００（具体的には、この中のＷＷＷサーバ１５０）は、ＯＡ端末３００から、電力系統図を要求する旨の要求信号を受信したか否かを判別する（Ｓ３０２）。もし、ＯＡ端末３００から要求信号を受信していないと判別した場合（Ｓ３０２：ＮＯ）、電力系統図情報生成装置１００（具体的には、この中の画像データ変換サーバ１２０）は、前述したステップＳ３００の処理を再度実施する。一方、ＯＡ端末３００から要求信号を受信したと判別した場合（Ｓ３０２：ＹＥＳ）、電力系統図情報生成装置１００（具体的には、この中のＷＷＷサーバ１５０）は、ＩＤ情報データベース１４１を参照して、要求信号に含まれるＩＤ情報に該当する社員が所属する部門を示す情報を取得する（Ｓ３０３）。
【００７８】
次に、電力系統図情報生成装置１００（具体的には、この中の画像データ変換サーバ１２０）は、遮断情報データベース１３２を参照して、特定された部門への開示が禁止された構成要素（例えば、所定のＰＰＳ発電機）を示す情報を取得する。また、電力系統図情報生成装置１００は、電力系統図情報データベース１３１から上記構成要素を含むデータを除いて、該当部門用データ（例えば部門Ａ用データ１３１ａ）（図９参照）を生成し、作業用データベース１３６に格納する（Ｓ３０４）。
【００７９】
次に、電力系統図情報生成装置１００は、作業用データベース１３６に格納された該当部門用データ（例えば、部門Ａ用データ１３１ａ）に基づいて、該当部門用画像データ（例えば、部門Ａ用画像データ１３６ｈ）を生成し（図９参照）、作業用データベース１３６に格納する（Ｓ３０５）。
【００８０】
次に、電力系統図情報生成装置１００（具体的には、この中のＷＷＷサーバ１５０）は、要求信号に含まれるＯＡ端末３００のＩＰアドレス情報あてに、作業用データベース１３６に格納された該当部門用画像データ（例えば、部門Ａ用画像データ１３６ｈ）を送信する。このとき、ＯＡ端末３００においてディスプレイ３００ｂ上の前述した更新ボタンがクリックされたメニュー画面には、所定の構成要素が視認不可となった電力系統図が表示される（Ｓ３０６）。
【００８１】
図９に例示されるように、電力系統図情報データベース１３１は、電力系統の全ての構成要素の情報を有している。例えば、電力会社の部門Ａの社員が、自身のＩＣカードをカードリーダ３００ｃに翳してＯＡ端末３００にログインし、ブラウザプログラムを起動してディスプレイ３００ｂに表示されたメニュー画面の更新ボタンをクリックしたとする。このとき、この部門Ａへの開示が禁止されているＰＰＳ発電者の発電機（例えば、図９における「ＰＰＳ発電機ｂ」）を電力系統図情報データベース１３１から除くことにより、部門Ａ用データ１３１ａが生成され、これから、該当する発電機がマスクされた部門Ａ用画像データ１３６ｈが生成される。一方、電力会社の部門Ｂの社員の場合、この部門Ｂへの開示が禁止されているＰＰＳ発電者の発電機（例えば、図９における「ＰＰＳ発電機ｃ」）を電力系統図情報データベース１３１から除くことにより、部門Ｂ用データ１３１ｂが生成され、これから、該当する発電機がマスクされた部門Ｂ用画像データ１３６ｉが生成される。
【００８２】
＝＝＝設備コスト及び維持コストの節減＝＝＝
＜＜＜第１の実施の形態＞＞＞
前述した第１の実施の形態の画像データ変換サーバ１２０は、遮断情報データベース１３２及びマスクパターン情報データベース１３３を参照することにより、マスクパターン画像データ１３５ａ、１３５ｂ、１３５ｃを組み合わせて、複数の部門毎に異なる情報遮断に対応するための複数のマスクレイヤー画像データ１３６ｂ、１３６ｃとすることができる。また、この画像データ変換サーバ１２０は、この複数のマスクレイヤー画像データ１３６ｂ、１３６ｃのそれぞれを１つの基本画像データ１３４ａと重ね合わせて、異なる情報遮断に対応した複数の該当部門用画像データ（例えば、部門Ａ用画像データ１３６ｄ又は部門Ｂ用画像データ１３６ｅ）とすることができる。このマスクレイヤー画像データ１３６ｂ、１３６ｃは、マスクパターン画像データ１３５ａ、１３５ｂ、１３５ｃから構成されているため、基本画像データ１３４ａと比べて、異なる情報遮断への対応が容易にできる。よって、複数の部門毎に異なる情報遮断に対応した複数の基本画像データを予め生成し記憶させておく場合に比べて、第１の実施の形態の場合の方が、取り扱うべきデータのサイズが小さく、基本画像データベース１３４及びマスクパターン画像データベース１３５に対する負荷が小さい。
【００８３】
また、複数の部門毎に異なる情報遮断に対応した複数の基本画像データを予め生成し記憶させておく場合、例えばこの複数の部門又は情報遮断自体が変更される都度、この複数の基本画像データを全て再生成しなければならない。一方、前述した第１の実施の形態の場合、例えば遮断情報データベース１３２のみを変更し、これに応じてマスクレイヤー画像データ１３６ｂ、１３６ｃを変更すればよい。これにより、該当部門用画像データ（例えば、部門Ａ用画像データ１３６ｄ又は部門Ｂ用画像データ１３６ｅ）を相対的に容易に生成できる。
【００８４】
以上から、該当部門用画像データ（例えば、部門Ａ用画像データ１３６ｄ又は部門Ｂ用画像データ１３６ｅ）を、基本画像データベース１３４及びマスクパターン画像データベース１３５に負担をかけず且つ容易に生成可能となる。これは、電力系統図情報生成システム１０にかかる設備コスト及び維持コストの節減につながる。
【００８５】
尚、前述した第１の実施の形態の基本画像データ１３４ａが、電力系統の全構成要素を記号で示した電力系統図情報に相当し、基本画像データベース１３４が第１の記憶部に相当し、マスクパターン画像データ１３５ａ、１３５ｂ、１３５ｃがマスク情報に相当し、マスクレイヤー画像データ１３６ｂ、１３６ｃが単一のマスク情報に相当し、マスクパターン画像データベース１３５が第２の記憶部に相当し、画像データ変換サーバ１２０が合成生成部に相当する。また、画像データ変換サーバ１２０に前述したステップＳ１０５及びＳ１０６の処理を実施させる所定のプログラムが電力系統図情報生成システムに電力系統図情報生成方法を実施させるプログラムに相当する。この所定のプログラムは、前述した描画用プログラムを含むものであり、例えば画像データ変換サーバ１２０が備える所定のデータベースに格納される。更に、端末３００ａ及びそのメモリに記憶されたブラウザプログラムが要求信号発生部に相当し、端末３００ａ及びそのメモリに記憶されたブラウザプログラム並びにディスプレイ３００ｂが表示部に相当する。
【００８６】
＜＜＜第２の実施の形態＞＞＞
前述した第２の実施の形態の画像データ変換サーバ１２０は、遮断情報データベース１３２及びマスクパターン情報データベース１３３を参照することにより、複数の部門毎に異なる情報遮断に対応するための複数組のマスクパターン画像データ１３５ａ、１３５ｂを生成することができる。また、この画像データ変換サーバ１２０は、この複数組のマスクパターン画像データ１３５ａ、１３５ｂのそれぞれを１つの基本画像データ１３４ａと重ね合わせて、異なる情報遮断に対応した複数の該当部門用画像データ（例えば、部門Ａ用画像データ１３６ｆ又は部門Ｂ用画像データ１３６ｇ）とすることができる。このマスクパターン画像データ１３５ａ、１３５ｂは、基本画像データ１３４ａと比べて、異なる情報遮断への対応が容易にできる。よって、複数の部門毎に異なる情報遮断に対応した複数の基本画像データを予め生成し記憶させておく場合に比べて、第２の実施の形態の場合の方が、取り扱うべきデータのサイズが小さく、基本画像データベース１３４に対する負荷が小さい。
【００８７】
また、複数の部門毎に異なる情報遮断に対応した複数の基本画像データを予め生成し記憶させておく場合、例えばこの複数の部門又は情報遮断自体が変更される都度、この複数の基本画像データを全て再生成しなければならない。一方、前述した第２の実施の形態の場合、例えば遮断情報データベース１３２のみを変更し、これに応じてマスクパターン画像データ１３５ａ、１３５ｂを変更すればよい。これにより、該当部門用画像データ（例えば、部門Ａ用画像データ１３６ｆ又は部門Ｂ用画像データ１３６ｇ）を相対的に容易に生成できる。
【００８８】
以上から、該当部門用画像データ（例えば、部門Ａ用画像データ１３６ｆ又は部門Ｂ用画像データ１３６ｇ）を、基本画像データベース１３４に負担をかけず且つ容易に生成可能となる。これは、電力系統図情報生成システム１０にかかる設備コスト及び維持コストの節減につながる。
【００８９】
尚、前述した第２の実施の形態の基本画像データ１３４ａが、電力系統の全構成要素を記号で示した電力系統図情報に相当し、基本画像データベース１３４が記憶部に相当し、マスクパターン画像データ１３５ａ、１３５ｂ及びその座標情報がマスク情報に相当し、画像データ変換サーバ１２０がマスク情報生成部及び合成生成部に相当する。また、画像データ変換サーバ１２０に前述したステップＳ２０５及びＳ２０６の処理を実施させる所定のプログラムが電力系統図情報生成システムに電力系統図情報生成方法を実施させるプログラムに相当する。
【００９０】
＜＜＜第３の実施の形態＞＞＞
前述した第３の実施の形態の画像データ変換サーバ１２０は、遮断情報データベース１３２を参照することにより、電力系統図情報データベース１３１から、複数の部門毎に異なる情報遮断に対応するための複数の該当部門用データ（例えば、部門Ａ用データ１３１ａ又は部門Ｂ用データ１３１ｂ）を生成することができる。また、この画像データ変換サーバ１２０は、この複数の該当部門用データ（例えば、部門Ａ用データ１３１ａ又は部門Ｂ用データ１３１ｂ）に基づいて、異なる情報遮断に対応した複数の該当部門用画像データ（例えば、部門Ａ用画像データ１３６ｈ又は部門Ｂ用画像データ１３６ｉ）を生成することができる。この遮断情報データベース１３２は、基本画像データ１３４ａと比べて、異なる情報遮断への対応が容易にできる。よって、複数の部門毎に異なる情報遮断に対応した複数の基本画像データを予め生成し記憶させておく場合に比べて、第３の実施の形態の場合の方が、取り扱うべきデータのサイズが小さく、例えば作業用データベース１３６に対する負荷が小さい。
【００９１】
また、複数の部門毎に異なる情報遮断に対応した複数の基本画像データを予め生成し記憶させておく場合、例えばこの複数の部門又は情報遮断自体が変更される都度、この複数の基本画像データを全て再生成しなければならない。一方、前述した第３の実施の形態の場合、例えば遮断情報データベース１３２のみを変更し、これに応じて該当部門用データ（例えば、部門Ａ用データ１３１ａ又は部門Ｂ用データ１３１ｂ）を生成すればよい。これにより、該当部門用画像データ（例えば、部門Ａ用画像データ１３６ｈ又は部門Ｂ用画像データ１３６ｉ）を相対的に容易に生成できる。
【００９２】
以上から、該当部門用画像データ（例えば、部門Ａ用画像データ１３６ｈ又は部門Ｂ用画像データ１３６ｉ）を、例えば作業用データベース１３６に負担をかけず且つ容易に生成可能となる。これは、電力系統図情報生成システム１０にかかる設備コスト及び維持コストの節減につながる。
【００９３】
尚、前述した第３の実施の形態の電力系統図情報データベース１３１が記憶部に相当し、各部門用データ１３１ａ、１３１ｂが一部の構成要素を含まない全構成要素を示す構成要素情報に相当し、画像データ変換サーバ１２０が電力系統図情報生成部に相当する。また、画像データ変換サーバ１２０に前述したステップＳ３０４及びＳ３０５の処理を実施させる所定のプログラムが電力系統図情報生成システムに電力系統図情報生成方法を実施させるプログラムに相当する。
【００９４】
＝＝＝第４の実施の形態＝＝＝
前述した第１及び第２の実施の形態では、各部門用画像データ１３６ｄ、１３６ｅ、１３６ｆ、１３６ｇは電力系統図情報生成装置１００により生成され、ＷＷＷサーバ１５０及びイントラネット３０を通じて、ＯＡ端末３００に送信されたが、これに限定されるものではない。例えば、第１の実施の形態のステップＳ１０５、Ｓ１０６、及び、第２の実施の形態のＳ２０５、Ｓ２０６の処理を、ＯＡ端末３００が実施してもよい。
【００９５】
この場合、ＯＡ端末３００の前述したブラウザプログラムは、前述した電力系統図情報生成装置１００の画像データ変換サーバ１２０の所定のデータベースに格納された所定のプログラムの一部を備えている必要がある。また、このＯＡ端末３００は、自身を識別する情報として、前述したＩＤ情報を記憶している必要がある一方、カードリーダ３００ｃを備えている必要はない。つまり、このＯＡ端末３００は、部門毎に固定設置されており、社員がアクセスする際には前述したＩＣカードは必要ないことになる。更に、このＯＡ端末３００は、前述した遮断情報データベース１３２における該当部門に関する情報、マスクパターン情報データベース１３３、及びマスクパターン画像データベース１３５を備えている必要がある。
【００９６】
一方、電力系統図情報生成装置１００におけるＷＷＷサーバ１５０は、要求信号に含まれるＩＤ情報に該当するＯＡ端末３００に対して、基本画像データ１３４ａを送信するだけでよいため、データベースへの負荷は、第１及び第２の実施の形態の場合よりも軽減される。つまり、各部門に固定設置されたＯＡ端末３００が個別にデータベースを備えた分、電力系統図情報生成装置１００のデータベースが縮小されることになる。
【００９７】
以上、第１〜第３の実施の形態では、電力系統図情報生成装置１００は主として画像データ（例えば、部門Ａ用画像データ１３６ｄ）を生成する機能を有し、ＯＡ端末３００は主としてこの画像データを表示する機能を有するものであった。一方、第４の実施の形態では、ＯＡ端末３００が主として画像データの生成及び表示を行う機能を有するものであった。但し、これに限定されるものではなく、電力系統図情報生成装置１００とＯＡ端末３００とは、上記画像データを生成する機能を、如何なる割合で持ち合うものであってもよい。
【００９８】
＝＝＝その他の実施の形態＝＝＝
前述した実施の形態は、本発明の理解を容易にするためのものであり、本発明を限定して解釈するためのものではない。本発明は、その趣旨を逸脱することなく変更、改良されるとともに、本発明にはその等価物も含まれる。
【００９９】
前述した第１〜第３の実施の形態では、ＩＤ情報はＩＣカードに記憶されるものであったが、これに限定されるものではない。例えば、このＩＣカードを用いる代わりに、ＯＡ端末３００のブラウザプログラムが、社員に対してＩＤ情報の入力を要求し、この入力に応じてＷＷＷサーバ１５０にアクセス可能となるように構成されていてもよい。この場合、カードリーダ３００ｃが必要なくなるため、設備コストを節減できることになる。
【０１００】
また、前述した第１〜第４の実施の形態の電力系統図情報生成装置１００は、複数のサーバ１１０、１２０、１３０、１４０、１５０、１６０を備えて構成されているが、これに限定されるものではない。例えば、電力系統図情報生成装置１００は１つのサーバからなるものであってもよい。更に、上記サーバ群の場合、例えば、電力系統図情報生成装置１００は、少なくとも、画像データ変換サーバ１２０、ＷＷＷサーバ１５０、及びデータベース１３１〜１３６、１４１を備えていれば、他のサーバ１１０、１３０、１４０、１６０を備えていなくてもよい。一方、１つのサーバの場合、例えば、電力系統図情報生成装置１００は、少なくとも、画像データ変換サーバ１２０及びＷＷＷサーバ１５０の機能を有し、データベース１３１〜１３６、１４１を備えていれば、他のサーバ１１０、１３０、１４０、１６０の機能を有していなくてもよい。
【０１０１】
更に、前述した第１〜第４の実施の形態の電力系統図情報生成装置１００は、複数のデータベース１３１〜１３６、１４１を備えているが、これに限定されるものではない。例えば、これらのデータベースの一部又は全部はリンクされて、より少数又は１つのデータベースとなっていてもよい。例えばＩＤ情報データベース１４１と遮断情報１３２とを組み合わせて、ＩＤ情報と情報遮断すべき構成要素情報とを対応付けてもよい。また、例えば、情報遮断データベース１３２とマスクパターン情報データベース１３３とを組み合わせて、部門毎に、情報遮断すべき構成要素情報と、記号情報と、マスクパターン情報と、座標情報とを関連付けてもよい。
【図面の簡単な説明】
【０１０２】
【図１】本実施の形態の電力系統図情報生成システムの構成例を示すブロック図である。
【図２】本実施の形態の各種情報のデータベースの構成例を示す図表である。
【図３】本実施の形態の画像情報のデータベースの構成例を示す図表である。
【図４】電力系統図情報生成装置による第１の実施の形態の処理の手順を示すフローチャートである。
【図５】第１の実施の形態の基本画像データ及び各部門用画像データの関係を示す模式図である。
【図６】電力系統図情報生成装置による第２の実施の形態の処理の手順を示すフローチャートである。
【図７】第２の実施の形態の基本画像データ及び各部門用画像データの関係を示す模式図である。
【図８】電力系統図情報生成装置による第３の実施の形態の処理の手順を示すフローチャートである。
【図９】第３の実施の形態の電力系統図情報データベース、各部門用データ、及び各部門用画像データの関係を示す模式図である。
【符号の説明】
【０１０３】
１０  電力系統図情報生成システム        ２０  制御系ネットワーク
３０  イントラネット                    ４０  インターネット
１００  電力系統図情報生成装置          １１０  アプリケーションサーバ
１２０  画像データ変換サーバ            １３０  データベースサーバ
１３１  電力系統図情報データベース      １３１ａ、１３１ｂ  該当部門用データ
１３２  遮断情報データベース            １３３  マスクパターン情報データベース
１３４  基本画像データベース            １３４ａ  基本画像データ
１３５  マスクパターン画像データベース
１３５ａ、１３５ｂ、１３５ｃ  マスクパターン画像データ
１３６  作業用データベース
１３６ａ、１３６ｂ、１３６ｃ  マスクレイヤー画像データ
１３６ｄ、１３６ｅ、１３６ｆ  該当部門用画像データ
１３６ｇ、１３６ｈ、１３６ｉ  該当部門用画像データ
１４０  発行管理サーバ                  １４１  ＩＤ情報データベース
１５０  ＷＷＷサーバ                    １６０  システム監視サーバ
１７０  ファイアウォール                １８０  通信網
２００  監視制御装置                    ３００  ＯＡ端末
３００ａ  端末                          ３００ｂ  ディスプレイ
３００ｃ  カードリーダ                  ４００  端末
５００  ＷＷＷサーバ                    ６００  ファイアウォール
【図１】
0004606260.tif 000002
【図２】
0004606260.tif 000003
【図３】
0004606260.tif 000004
【図４】
0004606260.tif 000005
【図５】
0004606260.tif 000006
【図６】
0004606260.tif 000007
【図７】
0004606260.tif 000008
【図８】
0004606260.tif 000009
【図９】
0004606260.tif 000010